(57)【特許請求の範囲】
【請求項１】
前側側壁および後側側壁の高さが同一で、前側耳部および後側耳部の形状が同一であり、かつ、両耳部が樋内側に開口した溝を有し、片側が角樋状に、他側が半円樋状にされた形態の軒樋を建物の被固定面に取り付けるための軒樋吊具であって、建物の被固定面に取り付けられる取付部と、この取付部の前面に突設された支持部とを備え、前記取付部の前面に軒樋の後側耳部を受ける受部が設けられ、支持部基端の下面であって前記受部の前方位置に軒樋の後側耳部の脱落を防止する板バネが前記取付部側に向かって斜め上方に突設され、この板バネの先端が上向きに屈曲されて立ち上がり部が形成され、この立ち上がり部の長さが、前記軒樋の後側耳部の樋内側に開口した溝の上下方向の開口幅より長くされていることを特徴とする軒樋吊具。
【発明の詳細な説明】
【０００１】
【発明の属する技術分野】
本発明は軒樋を建物の壁や鼻隠し板などの被固定面に取り付ける軒樋吊具に関する。
【０００２】
【従来の技術】
従来、軒樋吊具には種々のものがあるが、これらの共通する点は、建物の被固定面に取り付けられる取付部と、この取付部の前面に突設された支持腕とを備えた軒樋吊具の取付部を建物の軒先に釘やビスにて取り付け、支持腕に軒樋の両耳部を支持させて使用するものである。
【０００３】
例えば実公平３−２１５６２号公報においては、建物の被固定面に取り付けられる固定板１１ａと、この固定板の前面に突設された支持腕１２ａとを備え、固定板１１ａの前面に軒樋２０ａの後方耳部２２ａを受ける耳受部１５ａが設けられ、支持腕基端の下面であって耳受部１５ａの前方位置に後方耳部２２ａの脱落を防止するバネ板１６ａが設けられている内吊り方式の軒樋吊具１０ａ（図７を参照）を使用して軒樋２０ａを支持する支持構造が記載されている。なお、耳受部１５ａとバネ板１６ａにて軒樋の後方耳部２２ａを支持するための後端側支持構造１４ａを構成している。なお、１３ａは前端側支持構造、２１ａは前方耳部である。
【０００４】
【発明が解決しようとする課題】
上記軒樋吊具においては、この吊具にて支持される軒樋の後方耳部の形態が図示されている中空状のものである場合にはとくに問題は生じない。しかしながら、軒樋の形状が図４に示すように、前側側壁３２および後側側壁３３の高さが同一で、前側耳部３４および後側耳部３５の形状が同一であり、かつ、両耳部３４、３５が図に示すように、樋内側に開口した溝３６、３７を有する形態の場合には、以下のような問題があった。なお、このようにすることにより、一種類の軒樋にて、前側側壁と後側側壁の取り付けの位置関係を逆にすることにより、和風あるいは洋風の建物に対応させて適用することができる。
【０００５】
すなわち、図８（ａ）〜（ｃ）に示すように、軒樋３の後側耳部３５を後耳支持部１５ａ、１６ａに係止させる際に、板バネの先端が後側耳部３５の溝３７に一度嵌まり込むので、この段階で後側耳部３５を正しい位置にて係止できたと勘違いして、施工作業者が取付作業を完了してしまうことがある。
【０００６】
また、図９（ａ）〜（ｃ）に示すように、後側耳部３５を正しい位置に係止できたとしても、施工後、たとえば積雪荷重により後側耳部３５が溝３７の上下方向の開口幅に対応する長さだけずり落ちることになる。
【０００７】
したがって、上記いずれの場合においても、軒樋の熱伸縮に対する抵抗の大きさが前側耳部３４と後側耳部３５とで不均一となり、この抵抗の違いにより蛇行現象が生じるという問題があった。
【０００８】
本発明は上記従来の問題を解消しようとするものであり、その目的とするところは、軒樋の後側耳部が図４に示すような形態のものであっても、施工後、積雪荷重により後側耳部がずり落ちることのない軒樋吊具を提供することである。
【０００９】
【課題を解決するための手段】
請求項１記載の本発明は、前側側壁および後側側壁の高さが同一で、前側耳部および後側耳部の形状が同一であり、かつ、両耳部が樋内側に開口した溝を有し、片側が角樋状に、他側が半円樋状にされた形態の軒樋を建物の被固定面に取り付けるための軒樋吊具であって、建物の被固定面に取り付けられる取付部と、この取付部の前面に突設された支持部とを備え、前記取付部の前面に軒樋の後側耳部を受ける受部が設けられ、支持部基端の下面であって前記受部の前方位置に軒樋の後側耳部の脱落を防止する板バネが前記取付部側に向かって斜め上方に突設され、この板バネの先端が上向きに屈曲されて立ち上がり部が形成され、この立ち上がり部の長さが、前記軒樋の後側耳部の樋内側に開口した溝の上下方向の開口幅より長くされているものである。
【００１０】
（作用）
本発明の軒樋吊具においては、板バネの先端に形成された上向きの立ち上がり部の存在により、後側耳部を後側耳部支持部に下側から押し込んで係止させる際、板バネの先端が後側耳部の溝に嵌まり込まない。また、施工後、たとえば積雪荷重により後側耳部がずり落ちない。
【００１１】
【発明の実施の形態】
以下、本発明軒樋吊具の実施の形態を図面に基づいて説明する。
図１は本発明の軒樋吊具の第１実施例を示す斜視図、図２は図１の正面図、図３は図１のＸ−Ｘ線における切断端面図、図４は軒樋を示す正面図、図５は図１の軒樋吊具の使用状態を示す説明図、図６（ａ）〜（ｃ）は図４の軒樋の後側耳部の装着状態を示す説明図である。
【００１２】
図１および２において、１はポリカーボネート樹脂製の軒樋吊具であり、この軒樋吊具１は取付部１０と支持部２０とから構成されている。取付部１０は逆五角形状の板状体であり、その下部前面には受部１１が突設され、外周縁には３個の通孔１２が設けられ、釘などの固着具にて建物の壁や鼻隠し板などの被固定面に取り付けられるようになっている。
【００１３】
支持部２０は、図３に示すように、断面形状がＩ字形状のものであり、取付部１０前面の受部１１より所定距離上方に離れた位置から屋外側に一体に突設されている。この支持部２０の先端には上方に折曲片が形成されて軒樋３（図４を参照）の屋外側耳部３４を支持する屋外側耳支持部２１となされ、一方、屋内側の基端部下面には取付部１０の受部１１と対向して板バネ２２が斜め上方に一体に突設されている。
【００１４】
板バネ２２の先端部は図に示すように、その全長の約１／２が取付部１０の前面に突設されている受部１１とほぼ等しい高さ位置から上向きに屈曲されて立ち上がり部２２ａとされている。取付部１の受部１１の先端と、支持部２０の板バネ２２の立ち上がり部２２ａの下端との間隔は、軒樋３の屋内側耳部３５の幅よりも狭く形成され、受部１１と板バネ２２にて軒樋３の屋内側耳部３５を支持する屋内側耳支持部２３を構成している。立ち上がり部２２ａの長さは後述の軒樋３の後側耳部３５の溝３７の上下方向の開口幅より少し長くされている。なお、上記支持部２０の両端部を除いた部分は下方に窪んで凹部２４を形成している。
【００１５】
上記実施例の軒樋吊具１を使用して軒樋３を鼻隠し板に取り付ける方法について図５および図６に基づいて説明する。
【００１６】
まず軒樋３について説明する。図４に示すように、軒樋３は平坦な底部３１の両側に曲面状の前側壁３２と、ほぼ垂直状の後側壁３３とが立設され、この両側壁３２、３３の上端にそれぞれ前側（屋外側）耳部３４と後側（屋内側）耳部３５が設けられているものである。図に示すように、前側壁３２および後側壁３３の高さは同一であり、また、前側耳部３４および後側耳部３５は両側壁の上端より外側に突出して設けられている。両耳部３４、３５の形状は同一であり、それぞれ樋内側に開口した断面略Ｃ字状の溝３６、３７を有している。
【００１７】
そして、取付部１０の通孔１２を利用してビスなどの固着具（図示せず）にて建物の鼻隠し板などの被固定面４に複数の軒樋吊り具１、１・・・を所定間隔を置いて取り付ける。つぎに軒樋３の前側耳部３４を溝３６を利用して屋外側耳支持部２１に係止させ、この係止部を中心として、図６（ａ）〜（ｃ）に示すように、軒樋３を反時計回りに回動させることにより、後側耳部３５を屋内側耳支持部２３内に下方より押し込んで受部１１に係止させる。
【００１８】
上記実施例においては、図６より明らかなように、板バネ２２の先端より立ち上がり部２２ａが上向きに設けられ、この立ち上がり部２２ａの上下方向の長さが後側耳部３５の溝３７の上下方向の開口幅より長くされているので、後側耳部３５を屋内側耳支持部２３内に押し込む際、板バネ２２の先端が溝３７内に嵌まり込むことはなく、軒樋３の取付作業を正確かつ確実に行える。
【００１９】
また、積雪地域において、取付施工後、軒樋３の前側耳部３４に積雪荷重が作用して、後側耳部３５を下方に脱落させようとしても、後側耳部３５の内面が立ち上がり部２２ａに当接することになり、この結果、後側耳部３５の脱落を防止できる。
【００２０】
以上、本発明の実施例を図面により詳述してきたが、具体的な構成は上記の実施例に限定されず、本発明の要旨を逸脱しない範囲の設計変更などがあっても本発明に含まれる。
【００２１】
例えば、上記実施例では、軒樋吊具の材質を合成樹脂製のものとしたが、ステンレスなどの金属製のものとしてもよい。
【００２２】
【発明の効果】
本発明の軒樋吊具においては、板バネの先端に上向きの立ち上がり部が存在し、しかも、この立ち上がり部の長さが軒樋の後側耳部の溝の上下方向の開口幅より長くされていることにより、後側耳部を後側耳部支持部に下側から押し込んで係止させる際、板バネの先端が後側耳部の溝に嵌まり込まず、また、施工後、たとえば積雪荷重により後側耳部がずり落ちることがない。
【００２３】
したがって、いずれの場合においても、軒樋の熱伸縮に対する抵抗は前側耳部および後側耳部においてほぼ同一であり、取付施工後の軒樋に蛇行現象は生じず、意匠的外観は損なわれない。
【図面の簡単な説明】
【図１】  本発明における軒樋吊具の第１実施例を示す斜視図である。
【図２】  図１の正面図である。
【図３】  図２のＸ−Ｘ線における切断端面図である。
【図４】  軒樋を示す正面図である。
【図５】  図１の軒樋吊具の使用状態を示す説明図である。
【図６】  図４の軒樋の後側耳部の装着状態を示す説明図である。
【図７】  従来公知の軒樋吊具を示す斜視図である。
【図８】  図７の軒樋吊具に図４の軒樋の後側耳部の装着状態を示す説明図である。
【図９】  図８の軒樋の後側耳部の脱落状態を示す説明図である。
【符号の説明】
１  軒樋吊具
１０  取付部
１１  受部
２０  支持部
２１  屋外側耳支持部
２２  板バネ
２２ａ  立ち上がり部
２３  屋内側耳支持部
３  軒樋
３１  底部
３２  前側壁
３３  後側壁
３４  前側耳部
３５  後側耳部
３６、３７  溝
４  被固定面
【図１】
0003707861.tif 000002
【図２】
0003707861.tif 000003
【図３】
0003707861.tif 000004
【図４】
0003707861.tif 000005
【図５】
0003707861.tif 000006
【図６】
0003707861.tif 000007
【図７】
0003707861.tif 000008
【図８】
0003707861.tif 000009
【図９】
0003707861.tif 000010